(57)【要約】【課題】撮影時に記録された画像の撮影時刻を基準として、ユーザが希望する画像の検索をより高速に行う。【解決手段】記憶媒体に格納された画像を読み出して表示部４に表示させる際に、一定時間、制御ボタン装置６を押し続けることによって、表示部４にスクロールバーが表示される。このスクロールバーには、現在表示されている画像の全画像に対する時系列位置情報が示されており、現在表示されている画像の撮影時刻がいつ頃であるかを知ることができる。サムネイル画像の表示時には、サムネイル画像の表示枚数単位で表示画像を検索用に移動させることができる。【選択図】    図１
2005020209.tif 000002
【特許請求の範囲】
【請求項１】
複数の画像がデータ化されて格納された記録媒体からデータを読み出して表示部に画像を表示する画像表示装置において、
操作指令を入力可能とする操作入力部と、
主画像または該主画像を縮小した複数のサムネイル画像を該表示部に表示した状態で、一定時間、該操作入力部から特定の操作指令が入力され続けると、現在表示されている画像の、全画像に対する格納位置情報を該表示部に表示させるように制御する制御部とを有する画像表示装置。
【請求項２】
前記制御部は、
操作入力が有効であるか否かを判定する操作検知処理部と、
該操作入力が有効である場合に、前記操作入力部からの操作入力時間を計測する操作時間計測処理部と、
該操作入力時間が所定時間以上の場合に、前記表示部に格納位置情報を表示させる位置情報表示処理部とを有する請求項１に記載の画像表示装置。
【請求項３】
前記制御部は、前記表示部に主画像および前記格納位置情報が表示されている場合には、主画像の画面表示単位で表示画像を移動処理させるように制御する主画像移動処理部を有する請求項１または２に記載の画像表示装置。
【請求項４】
前記制御部は、前記表示部に複数のサムネイル画像および前記格納位置情報が表示されている場合には、該表示部に表示されている複数のサムネイル画像の画面表示単位で表示画像を移動処理させるように制御するサムネイル画像移動処理部を有する請求項１〜３の何れかに記載の画像表示装置。
【請求項５】
前記制御部は、前記表示部に格納位置情報が表示されている状態で、一定時間、前記特定の操作指令が入力されないか、または、該特定の操作指令とは別の操作指令が入力された場合に、該表示部に表示されている格納位置情報を消去処理するように制御する請求項１〜４の何れかに記載の画像表示装置。
【請求項６】
前記制御部は、前記表示部に複数のサムネイル画像が表示されている場合に、該表示部に表示されている格納位置情報が消去された時点で、前記表示部に表示されている複数のサムネイル画像の画面表示単位で表示画像を移動させる機能を解除して、表示画像の移動をサムネイル画像単位で行うように制御する請求項５に記載の画像表示装置。
【請求項７】
前記制御部は、主画像を縮小した複数のサムネイル画像を該表示部に表示した状態で、選択されるサムネイル画像を移動させているときに、現在選択されているサムネイル画像に対応した主画像を、該表示部のサムネイル画像表示画面内の一部領域に拡大表示させるように制御する請求項１に記載の画像表示装置。
【請求項８】
前記制御部は、
前記複数のサムネイル画像のうち、現在選択されている表示画像に枠表示するように画像枠を移動処理する選択画像枠移動処理部と、
現在選択されているサムネイル画像に対応した主画像を、該表示部の一部領域としての指定領域に表示処理する主画像指定領域表示処理部とを有する請求項７に記載の画像表示装置。
【請求項９】
前記制御部は、選択されるサムネイル画像の移動処理が終了した場合に、主画像を前記表示部の一部領域に表示させる機能を解除し、通常のサムネイル表示画面を該表示部に表示させるように制御する請求項７または８に記載の画像表示装置。
【請求項１０】
複数の画像がデータ化されて格納された記録媒体からデータを読み出して表示部に画像を表示する画像表示装置において、
操作指令を入力可能とする操作入力部と、
主画像または該主画像を縮小した複数のサムネイル画像を該表示部に表示した状態で、一定時間、該操作入力部から特定の操作指令が入力され続けると、全画像を所定の画像数で分割し、その分割された複数画像毎の所定画像位置の画像を前記表示部に表示すると共に該所定画像位置から該表示部に画像を表示可能とするように制御する制御部とを有する画像表示装置。
【請求項１１】
前記制御部は、前記表示部に格納位置情報が表示されている状態で、一定時間の間に、再度、前記操作入力部から特定の操作指令が入力されると、全画像を所定の画像数で分割し、その分割された複数画像毎の所定画像位置の画像を前記表示部に表示すると共に該所定画像位置から該表示部に画像を表示可能とするように制御する請求項１に記載の画像表示装置。
【請求項１２】
前記制御部は、
操作入力が有効であるか否かを判定する操作検知処理部と、
該操作入力が有効である場合に、前記操作入力部からの操作入力時間を計測する操作時間計測処理部と、
該操作入力時間が所定時間以上の場合に、全画像を画像数毎に分割し、その分割した画像数毎の所定画像位置から該表示部に画像を表示可能とするように制御する画像表示処理部とを有する請求項１０または１１に記載の画像表示装置。
【請求項１３】
前記制御部は、前記表示部に主画像が表示されている場合には、分割された複数画像毎に主画像を移動処理するように制御する主画像移動処理部を有する請求項１０〜１２の何れかに記載の画像表示装置。
【請求項１４】
前記制御部は、前記表示部に複数のサムネイル画像が表示されている場合には、分割された複数画像毎にサムネイル画像を移動処理するように制御するサムネイル画像移動処理部を有する請求項１０〜１３の何れかに記載の画像表示装置。
【請求項１５】
前記制御部は、前記操作入力部から特定の操作指令が入力された時点から一定時間、前記特定の操作指令が入力されないか、または、該特定の操作指令とは別の操作指令が入力された場合に、分割された複数画像毎に表示画像を移動処理する機能を解除し、表示画像の移動を画像単位で行わせるように制御する請求項１０〜１４の何れかに記載の画像表示装置。
【請求項１６】
複数の画像がデータ化されて格納された記録媒体からデータを読み出して表示部に画像を表示する画像表示装置において、
操作指令を入力可能とする操作入力部と、
主画像または該主画像を縮小した複数のサムネイル画像が該表示部に表示された状態で、一定時間、操作入力部から特定の操作指令が入力され続けると、全画像を、所定の時間間隔内に撮影された複数の画像グループに分割し、その分割された画像グループ毎の所定画像位置の画像を前記表示部に表示すると共に該所定画像位置から該表示部に画像を表示可能とするように制御する制御部とを有する画像表示装置。
【請求項１７】
前記制御部は、前記表示部に格納位置情報が表示されている状態で、一定時間の間に、再度、前記操作入力部から前記特定の操作指令が入力されると、全画像を、所定の時間間隔内に撮影された複数の画像グループに分割し、その分割された画像グループ毎の所定画像位置の画像を前記表示部に表示すると共に該所定画像位置から該表示部に画像を表示可能とするように制御する請求項１に記載の画像表示装置。
【請求項１８】
前記制御部は、
操作指令が有効であるか否かを判定する操作検知処理部と、
該操作指令が有効である場合に、前記操作入力部からの操作時間を計測する操作時間計測処理部と、
該操作時間が所定時間以上の場合に、画像と共に記録媒体に格納されている撮影時刻に基づいて、一定の時間間隔内に撮影された画像を検索する撮影時間間隔計算処理部と、
検索画像に基づいて、表示される複数のサムネイル画像の画像グループを決定する表示サムネイル画像決定処理部と、
各画像グループ毎の所定画像位置から該表示部に画像を表示可能とするように制御する画像表示処理部とを有する請求項１６または１７に記載の画像表示装置。
【請求項１９】
前記制御部は、前記表示部に主画像が表示されている場合には、前記画像グループ毎に主画像を移動処理するように制御する主画像移動処理部を有する請求項１６〜１８の何れかに記載の画像表示装置。
【請求項２０】
前記制御部は、前記表示部に複数のサムネイル画像が表示されている場合には、前記画像グループ毎にサムネイル画像を移動処理するように制御するサムネイル画像移動処理部を有する請求項１６〜１９の何れかに記載の画像表示装置。
【請求項２１】
前記制御部は、前記操作入力部から特定の操作指令が入力された時点から一定時間、前記特定の操作指令が入力されていないか、該特定の操作指令とは別の操作指令が入力された場合に、前記画像グループ毎に表示画像を移動処理する機能および、該画像グループ毎の所定画像位置の画像を前記表示部に表示する機能を解除し、表示画像の移動を画像単位で行わせるように制御する請求項１６〜２０の何れかに記載の画像表示装置。
【請求項２２】
前記制御部は、前記移動処理による表示画像の移動時に、前記所定画像位置として先頭画像を表示するように制御する請求項１３〜１５および１９〜２１の何れかに記載の画像表示装置。
【請求項２３】
前記格納位置情報は、時系列格納位置情報を示すスクロールバーである請求項１〜６、１１および１７の何れかに記載の画像表示装置。
【請求項２４】
請求項１〜２３の何れかに記載の画像表示装置が搭載された電子情報機器。
【請求項２５】
複数の画像がデータ化されて格納された記録媒体からデータを読み出して表示部に画像を表示する画像表示方法において、
主画像または該主画像を縮小した複数のサムネイル画像を該表示部に表示した状態で、一定時間、操作入力部から特定の操作指令が入力され続けると、現在表示されている画像の、全画像に対する格納位置情報を該表示部に表示させるように制御する画像表示方法。
【請求項２６】
前記表示部に主画像および前記格納位置情報が表示されている場合には、主画像の画面表示単位で表示画像を移動処理させるように制御する請求項２５に記載の画像表示方法。
【請求項２７】
前記表示部に複数のサムネイル画像および前記格納位置情報が表示されている場合には、該表示部に表示されている複数のサムネイル画像の画面表示単位で該表示画像を移動処理させるように制御する請求項２５に記載の画像表示方法。
【請求項２８】
前記表示部に前記格納位置情報が表示されている状態で、一定時間、前記特定の操作指令が入力されないか、または、該特定の操作指令とは別の操作指令が入力された場合に、該表示部に表示されている該格納位置情報を消去処理させるように制御する請求項２５〜２７の何れかに記載の画像表示方法。
【請求項２９】
前記表示部に複数のサムネイル画像が表示されている場合に、該表示部に表示されている前記格納位置情報が消去された時点で、前記表示部に表示されている複数のサムネイル画像の画面表示単位で表示画像を移動させる機能を解除して、表示画像の移動をサムネイル画像単位で行うように制御する請求項２８に記載の画像表示方法。
【請求項３０】
前記主画像を縮小した複数のサムネイル画像を該表示部に表示した状態で、選択されるサムネイル画像を移動させているときに、現在選択されているサムネイル画像に対応した主画像を、該表示部のサムネイル画像表示画面内の一部領域に拡大表示させるように制御する請求項２５に記載の画像表示方法。
【請求項３１】
選択されるサムネイル画像の移動処理が終了した場合に、主画像を前記表示部の一部領域に表示させる機能を解除し、通常のサムネイル画像表示画面を該表示部に表示させるように制御する請求項３０に記載の画像表示方法。
【請求項３２】
複数の画像がデータ化されて格納された記録媒体からデータを読み出して表示部に画像を表示する画像表示方法において、
主画像または該主画像を縮小した複数枚のサムネイル画像を該表示部に表示した状態で、一定時間、操作入力部から特定の操作指令が入力され続けると、全画像を所定の画像数で分割し、その分割された画像数毎の所定画像位置の画像を該表示部に表示すると共に該所定画像位置から該表示部に画像を表示可能とするように制御する画像表示方法。
【請求項３３】
前記表示部に格納位置情報が表示されている状態で、一定時間の間に、再度、前記操作入力部から特定の操作指令が入力されると、全画像を所定の画像数で分割し、その分割された画像数毎の所定画像位置の画像を該表示部に表示すると共に該所定画像位置から該表示部に画像を表示可能とするように制御する請求項２５に記載の画像表示方法。
【請求項３４】
前記表示部に主画像が表示されている場合には、分割された複数画像毎に主画像を移動処理するように制御する請求項３２または３３に記載の画像表示方法。
【請求項３５】
前記表示部に複数のサムネイル画像が表示されている場合には、分割された複数画像毎にサムネイル画像を移動処理するように制御する請求項３２または３３に記載の画像表示方法。
【請求項３６】
前記操作入力部から特定の操作指令が入力された時点から一定時間、該特定の操作指令が入力されないか、または、該特定の操作指令とは別の操作指令が入力された場合に、分割された複数画像毎に表示画像を移動処理する機能を解除し、表示画像の移動を画像単位で行わせるように制御する請求項３２〜３５の何れかに記載の画像表示方法。
【請求項３７】
複数の画像がデータ化されて格納された記録媒体からデータを読み出して表示部に画像を表示する画像表示方法において、
主画像または該主画像を縮小した複数枚のサムネイル画像が該表示部に表示されている状態で、一定時間、操作入力部から特定の操作指令が入力され続けると、全画像を、所定の時間間隔内に撮影された複数の画像グループに分割し、その分割された画像グループ毎の所定画像位置の画像を前記表示部に表示すると共に該所定画像位置から該表示部に画像を表示可能とするように制御する画像表示方法。
【請求項３８】
前記表示部に格納位置情報が表示されている状態で、一定時間の間に、再度、前記特定の操作指令が入力されると、全画像を、所定の時間間隔内に撮影された複数の画像グループに分割し、その分割された画像グループ毎の所定画像位置の画像を前記表示部に表示すると共に該所定画像位置から該表示部に画像を表示可能とするように制御する請求項２５に記載の画像表示方法。
【請求項３９】
前記表示部に主画像が表示されている場合には、前記画像グループ毎に主画像を移動処理するように制御する請求項３７または３８に記載の画像表示方法。
【請求項４０】
前記表示部に複数のサムネイル画像が表示されている場合には、前記画像グループ毎にサムネイル画像を移動処理するように制御する請求項３７または３８に記載の画像表示方法。
【請求項４１】
前記操作入力部から特定の操作指令が入力された時点から一定時間、前記特定の操作指令が入力されないか、または、該特定の操作指令とは別の操作指令が入力された場合に、前記画像グループ毎に表示画像を移動処理する機能を解除し、表示画像の移動を画像単位で行わせるように制御する請求項３７〜４０の何れかに記載の画像表示方法。
【請求項４２】
請求項２５〜４１の何れかに記載の画像表示方法の処理手順をコンピュータに実行させるための制御プログラム。
【請求項４３】
請求項４２に記載の制御プログラムが格納されたコンピュータ読み取り可能な可読記録媒体。
【発明の詳細な説明】
【０００１】
【発明の属する技術分野】
本発明は、複数の画像がデータ化されて格納された記録媒体からデータを読み出して表示部に画像表示させる画像表示装置、その画像表示装置を搭載したデジタルカメラやカメラ付携帯電話装置などの電子情報機器、画像表示方法、その画像表示方法の各処理手順をコンピューターによって実行させるための制御プログラムおよび、その制御プログラムが記録されたコンピュータ読み取り可能な可読記録媒体に関する。
【０００２】
【従来の技術】
一般に、例えばデジタルカメラで撮影された画像を再生して表示部に表示させる方法では、画像は全て撮影時刻順に管理されており、主画像を縮小させた画像（以下、サムネイル画像という）を再生して表示させる際にも、撮影時刻順に表示されることが多い。
【０００３】
しかしながら、近年では、データを記憶させる記憶媒体の容量が増大してきており、一つの記憶媒体によって膨大な量の画像データが保管され得る状況になってきている。このような状況において、画像の再生時に、ユーザが所望の画像を検索するための検索時間や、カメラ機器の操作性、利便性に関わる問題が生じている。
【０００４】
そこで、従来から、例えば特許文献１では、複数の画像と、その画像に付随する付加情報とを同じ画面に表示させるなど、ユーザが画像を検索し易いように、様々な工夫が為されている。これによって、画像の検索時間は、かなり削減されている。
【０００５】
【特許文献１】
特開２００１−２１１４０８号公報
【０００６】
【発明が解決しようとする課題】
しかしながら、従来の画像表示方法では、画像の検索時間と、検索を行うために必要な情報をユーザがキー操作やデータ入力などによって操作入力する時間とを比べると、ユーザによる操作入力時間の方が圧倒的に長くなっているものが多い。
【０００７】
例えば、特許文献１のように、画像に付随する付加情報を画像と同じ画面に表示させる方法では、画像Ｎｏ、画像サイズ、データサイズなど、表示される付加情報が増えると、ユーザーはこれらの付加情報をキーワードとして、画像を検索するための手がかりとして用いることができる。しかしながら、ユーザがこれらの付加情報を新たに設定する必要があるため、画像の検索を高速に行うためには、かえって不利になる場合が多い。
【０００８】
本発明は、上記従来の事情に鑑みて為されたもので、撮影時に記録された画像の撮影時刻を基準として、ユーザが希望する画像の検索をより高速に行うことができる画像表示装置、その画像表示装置が搭載されたデジタルカメラなどの電子情報機器、画像表示方法、この画像表示方法の各処理手順をコンピュータに実行させるための制御プログラム、およびこの制御プログラムが記録されたコンピュー読み取り可能な可読記録媒体を提供することを目的とする。
【０００９】
【課題を解決するための手段】
本発明の画像表示装置は、複数の画像がデータ化されて格納された記録媒体からデータを読み出して表示部に画像を表示する画像表示装置において、操作指令を入力可能とする操作入力部と、主画像または該主画像を縮小した複数のサムネイル画像を該表示部に表示した状態で、一定時間、該操作入力部から特定の操作指令が入力され続けると、現在表示されている画像の、全画像に対する格納位置情報を該表示部に表示させるように制御する制御部とを有しており、そのことにより上記目的が達成される。
【００１０】
また、好ましくは、本発明の画像表示装置における制御部は、操作入力が有効であるか否かを判定する操作検知処理部と、該操作入力が有効である場合に、前記操作入力部からの操作入力時間を計測する操作時間計測処理部と、該操作入力時間が所定時間以上の場合に、前記表示部に格納位置情報を表示させる位置情報表示処理部とを有する。
【００１１】
さらに、好ましくは、本発明の画像表示装置における制御部は、前記表示部に主画像および前記格納位置情報が表示されている場合には、主画像の画面表示単位で表示画像を移動処理させるように制御する主画像移動処理部を有する。
【００１２】
さらに、好ましくは、本発明の画像表示装置における制御部は、前記表示部に複数のサムネイル画像および前記格納位置情報が表示されている場合には、該表示部に表示されている複数のサムネイル画像の画面表示単位で表示画像を移動処理させるように制御するサムネイル画像移動処理部を有する。
【００１３】
さらに、好ましくは、本発明の画像表示装置における制御部は、前記表示部に格納位置情報が表示されている状態で、一定時間、前記特定の操作指令が入力されないか、または、該特定の操作指令とは別の操作指令が入力された場合に、該表示部に表示されている格納位置情報を消去処理するように制御する。
【００１４】
さらに、好ましくは、本発明の画像表示装置における制御部は、前記表示部に複数のサムネイル画像が表示されている場合に、該表示部に表示されている格納位置情報が消去された時点で、前記表示部に表示されている複数のサムネイル画像の画面表示単位で表示画像を移動させる機能を解除して、表示画像の移動をサムネイル画像単位で行うように制御する。
【００１５】
また、好ましくは、本発明の画像表示装置における制御部は、主画像を縮小した複数のサムネイル画像を該表示部に表示した状態で、選択されるサムネイル画像を移動させているときに、現在選択されているサムネイル画像に対応した主画像を、該表示部のサムネイル画像表示画面内の一部領域に拡大表示させるように制御する。
【００１６】
さらに、好ましくは、本発明の画像表示装置における制御部は、前記複数のサムネイル画像のうち、現在選択されている表示画像に枠表示するように画像枠を移動処理する選択画像枠移動処理部と、現在選択されているサムネイル画像に対応した主画像を、該表示部の一部領域としての指定領域に表示処理する主画像指定領域表示処理部とを有する。
【００１７】
さらに、好ましくは、本発明の画像表示装置における制御部は、選択されるサムネイル画像の移動処理が終了した場合に、主画像を前記表示部の一部領域に表示させる機能を解除し、通常のサムネイル表示画面を該表示部に表示させるように制御する。
【００１８】
本発明の画像表示装置は、複数の画像がデータ化されて格納された記録媒体からデータを読み出して表示部に画像を表示する画像表示装置において、操作指令を入力可能とする操作入力部と、主画像または該主画像を縮小した複数のサムネイル画像を該表示部に表示した状態で、一定時間、該操作入力部から特定の操作指令が入力され続けると、全画像を所定の画像数で分割し、その分割された複数画像毎の所定画像位置の画像を前記表示部に表示すると共に該所定画像位置から該表示部に画像を表示可能とするように制御する制御部とを有しており、そのことにより上記目的が達成される。
【００１９】
また、好ましくは、本発明の画像表示装置における制御部は、前記表示部に格納位置情報が表示されている状態で、一定時間の間に、再度、前記操作入力部から特定の操作指令が入力されると、全画像を所定の画像数で分割し、その分割された複数画像毎の所定画像位置の画像を前記表示部に表示すると共に該所定画像位置から該表示部に画像を表示可能とするように制御する。
【００２０】
さらに、好ましくは、本発明の画像表示装置における制御部は、操作入力が有効であるか否かを判定する操作検知処理部と、該操作入力が有効である場合に、前記操作入力部からの操作入力時間を計測する操作時間計測処理部と、該操作入力時間が所定時間以上の場合に、全画像を画像数毎に分割し、その分割した画像数毎の所定画像位置から該表示部に画像を表示可能とするように制御する画像表示処理部とを有する。
【００２１】
さらに、好ましくは、本発明の画像表示装置における制御部は、前記表示部に主画像が表示されている場合には、分割された複数画像毎に主画像を移動処理するように制御する主画像移動処理部を有する。
【００２２】
さらに、好ましくは、本発明の画像表示装置における制御部は、前記表示部に複数のサムネイル画像が表示されている場合には、分割された複数画像毎にサムネイル画像を移動処理するように制御するサムネイル画像移動処理部を有する。
【００２３】
さらに、好ましくは、本発明の画像表示装置における制御部は、前記操作入力部から特定の操作指令が入力された時点から一定時間、前記特定の操作指令が入力されないか、または、該特定の操作指令とは別の操作指令が入力された場合に、分割された複数画像毎に表示画像を移動処理する機能を解除し、表示画像の移動を画像単位で行わせるように制御する。
【００２４】
本発明の画像表示装置は、複数の画像がデータ化されて格納された記録媒体からデータを読み出して表示部に画像を表示する画像表示装置において、操作指令を入力可能とする操作入力部と、主画像または該主画像を縮小した複数のサムネイル画像が該表示部に表示された状態で、一定時間、操作入力部から特定の操作指令が入力され続けると、全画像を、所定の時間間隔内に撮影された複数の画像グループに分割し、その分割された画像グループ毎の所定画像位置の画像を前記表示部に表示すると共に該所定画像位置から該表示部に画像を表示可能とするように制御する制御部とを有しており、そのことにより上記目的が達成される。
【００２５】
また、好ましくは、本発明の画像表示装置における制御部は、前記表示部に格納位置情報が表示されている状態で、一定時間の間に、再度、前記操作入力部から前記特定の操作指令が入力されると、全画像を、所定の時間間隔内に撮影された複数の画像グループに分割し、その分割された画像グループ毎の所定画像位置の画像を前記表示部に表示すると共に該所定画像位置から該表示部に画像を表示可能とするように制御する。
【００２６】
さらに、好ましくは、本発明の画像表示装置における制御部は、操作指令が有効であるか否かを判定する操作検知処理部と、該操作指令が有効である場合に、前記操作入力部からの操作時間を計測する操作時間計測処理部と、該操作時間が所定時間以上の場合に、画像と共に記録媒体に格納されている撮影時刻に基づいて、一定の時間間隔内に撮影された画像を検索する撮影時間間隔計算処理部と、検索画像に基づいて、表示される複数のサムネイル画像の画像グループを決定する表示サムネイル画像決定処理部と、各画像グループ毎の所定画像位置から該表示部に画像を表示可能とするように制御する画像表示処理部とを有する。
【００２７】
さらに、好ましくは、本発明の画像表示装置における制御部は、前記表示部に主画像が表示されている場合には、前記画像グループ毎に主画像を移動処理するように制御する主画像移動処理部を有する。
【００２８】
さらに、好ましくは、本発明の画像表示装置における制御部は、前記表示部に複数のサムネイル画像が表示されている場合には、前記画像グループ毎にサムネイル画像を移動処理するように制御するサムネイル画像移動処理部を有する。
【００２９】
さらに、好ましくは、本発明の画像表示装置における制御部は、前記操作入力部から特定の操作指令が入力された時点から一定時間、前記特定の操作指令が入力されていないか、該特定の操作指令とは別の操作指令が入力された場合に、前記画像グループ毎に表示画像を移動処理する機能および、該画像グループ毎の所定画像位置の画像を前記表示部に表示する機能を解除し、表示画像の移動を画像単位で行わせるように制御する。
【００３０】
さらに、好ましくは、本発明の画像表示装置における制御部は、前記移動処理による表示画像の移動時に、前記所定画像位置として先頭画像を表示するように制御する。
【００３１】
さらに、好ましくは、本発明の画像表示装置における格納位置情報は、時系列格納位置情報を示すスクロールバーである。
【００３２】
本発明の電子情報機器は、請求項１〜２３の何れかに記載の画像表示装置が搭載されており、そのことにより上記目的が達成される。
【００３３】
本発明の画像表示方法は、複数の画像がデータ化されて格納された記録媒体からデータを読み出して表示部に画像を表示する画像表示方法において、主画像または該主画像を縮小した複数のサムネイル画像を該表示部に表示した状態で、一定時間、操作入力部から特定の操作指令が入力され続けると、現在表示されている画像の、全画像に対する格納位置情報を該表示部に表示させるように制御しており、そのことにより上記目的が達成される。
【００３４】
また、好ましくは、本発明の画像表示方法において、表示部に主画像および前記格納位置情報が表示されている場合には、主画像の画面表示単位で表示画像を移動処理させるように制御する。
【００３５】
さらに、好ましくは、本発明の画像表示方法において、表示部に複数のサムネイル画像および前記格納位置情報が表示されている場合には、該表示部に表示されている複数のサムネイル画像の画面表示単位で該表示画像を移動処理させるように制御する。
【００３６】
さらに、好ましくは、本発明の画像表示方法において、表示部に前記格納位置情報が表示されている状態で、一定時間、前記特定の操作指令が入力されないか、または、該特定の操作指令とは別の操作指令が入力された場合に、該表示部に表示されている該格納位置情報を消去処理させるように制御する。
【００３７】
さらに、好ましくは、本発明の画像表示方法において、表示部に複数のサムネイル画像が表示されている場合に、該表示部に表示されている前記格納位置情報が消去された時点で、前記表示部に表示されている複数のサムネイル画像の画面表示単位で表示画像を移動させる機能を解除して、表示画像の移動をサムネイル画像単位で行うように制御する。
【００３８】
また、好ましくは、本発明の画像表示方法において、主画像を縮小した複数のサムネイル画像を該表示部に表示した状態で、選択されるサムネイル画像を移動させているときに、現在選択されているサムネイル画像に対応した主画像を、該表示部のサムネイル画像表示画面内の一部領域に拡大表示させるように制御する。
【００３９】
さらに、好ましくは、本発明の画像表示方法において、選択されるサムネイル画像の移動処理が終了した場合に、主画像を前記表示部の一部領域に表示させる機能を解除し、通常のサムネイル画像表示画面を該表示部に表示させるように制御する。
【００４０】
本発明の画像表示方法は、複数の画像がデータ化されて格納された記録媒体からデータを読み出して表示部に画像を表示する画像表示方法において、主画像または該主画像を縮小した複数枚のサムネイル画像を該表示部に表示した状態で、一定時間、操作入力部から特定の操作指令が入力され続けると、全画像を所定の画像数で分割し、その分割された画像数毎の所定画像位置の画像を該表示部に表示すると共に該所定画像位置から該表示部に画像を表示可能とするように制御しており、そのことにより上記目的が達成される。
【００４１】
また、好ましくは、本発明の画像表示方法において、表示部に格納位置情報が表示されている状態で、一定時間の間に、再度、前記操作入力部から特定の操作指令が入力されると、全画像を所定の画像数で分割し、その分割された画像数毎の所定画像位置の画像を該表示部に表示すると共に該所定画像位置から該表示部に画像を表示可能とするように制御する。
【００４２】
さらに、好ましくは、本発明の画像表示方法において、表示部に主画像が表示されている場合には、分割された複数画像毎に主画像を移動処理するように制御する。
【００４３】
さらに、好ましくは、本発明の画像表示方法において、表示部に複数のサムネイル画像が表示されている場合には、分割された複数画像毎にサムネイル画像を移動処理するように制御する。
【００４４】
さらに、好ましくは、本発明の画像表示方法において、操作入力部から特定の操作指令が入力された時点から一定時間、該特定の操作指令が入力されないか、または、該特定の操作指令とは別の操作指令が入力された場合に、分割された複数画像毎に表示画像を移動処理する機能を解除し、表示画像の移動を画像単位で行わせるように制御する。
【００４５】
本発明の画像表示方法は、複数の画像がデータ化されて格納された記録媒体からデータを読み出して表示部に画像を表示する画像表示方法において、主画像または該主画像を縮小した複数枚のサムネイル画像が該表示部に表示されている状態で、一定時間、操作入力部から特定の操作指令が入力され続けると、全画像を、所定の時間間隔内に撮影された複数の画像グループに分割し、その分割された画像グループ毎の所定画像位置の画像を前記表示部に表示すると共に該所定画像位置から該表示部に画像を表示可能とするように制御しており、そのことにより上記目的が達成される。
【００４６】
また、好ましくは、本発明の画像表示方法において、表示部に格納位置情報が表示されている状態で、一定時間の間に、再度、前記特定の操作指令が入力されると、全画像を、所定の時間間隔内に撮影された複数の画像グループに分割し、その分割された画像グループ毎の所定画像位置の画像を前記表示部に表示すると共に該所定画像位置から該表示部に画像を表示可能とするように制御する。
【００４７】
さらに、好ましくは、本発明の画像表示方法において、表示部に主画像が表示されている場合には、前記画像グループ毎に主画像を移動処理するように制御する。
【００４８】
さらに、好ましくは、本発明の画像表示方法において、表示部に複数のサムネイル画像が表示されている場合には、前記画像グループ毎にサムネイル画像を移動処理するように制御する。
【００４９】
さらに、好ましくは、本発明の画像表示方法において、前記操作入力部から特定の操作指令が入力された時点から一定時間、前記特定の操作指令が入力されないか、または、該特定の操作指令とは別の操作指令（特定の操作指令を含む）が入力された場合に、前記画像グループ毎に表示画像を移動処理する機能を解除し、表示画像の移動を画像単位で行わせるように制御する。
【００５０】
本発明の制御プログラムは、請求項２５〜４１の何れかに記載の画像表示方法の処理手順をコンピュータに実行させるためのプログラムであり、そのことにより上記目的が達成される。
【００５１】
本発明の可読記録媒体は、請求項４２に記載の制御プログラムが格納されたコンピュータ読み取り可能なものであり、そのことにより上記目的が達成される。
【００５２】
上記構成により、以下に、本発明の作用について説明する。
【００５３】
例えばデジタルカメラなどの電子情報機器において、画像を撮影した後、容易に付加情報を追加することができるが、その場合には、ユーザが付加情報をキー入力やデータ入力などにより設定する必要があり、ユーザの入力負担が大きい。そこで、本発明では、画像の高速検索を行うために必要とされるユーザの設定操作を極力減らすために、撮影したときに画像と共に記録媒体に格納されている画像の撮影時刻を利用する。
【００５４】
本発明にあっては、記憶媒体に格納された画像データを読み出して表示部に表示させる際に、ユーザに分かりやすく表示させるために、一定時間、制御ボタンや操作キーを押し続けるなど、操作入力部から特定の操作指令が入力され続けると、表示部に格納位置情報として例えばスクロールバーが表示される。このスクロールバーには、現在表示されている画像の全画像に対する時系列位置情報が示されており、これによってユーザは現在表示されている画像の撮影時刻がいつ頃であるかを知ることができるため、ユーザが希望する画像をより高速に検索することが可能となる。
【００５５】
サムネイル画像の表示時には、サムネイル画像の画面表示単位（表示画画像枚数単位）で表示画像を移動させることにより、一つのサムネイル画像毎に移動させる場合に比べて、表示画像を移動させるためのユーザの操作入力回数をより少なくすることが可能となる。
【００５６】
また、サムネイル画像表示画面において、現在選択されているサムネイル画像に対応した主画像を、サムネイル画像表示画面の前面の指定領域に拡大表示させる。これによって、サムネイル画像表示画面から主画像表示画面に切り替えることなく、ユーザは各画像の詳細部分をより高速に確認することできる。このとき、サムネイル画像を拡大した画像をサムネイル画像表示画面に表示させてもよいが、サムネイル画像が主画像に比べて画像データが少ないため、詳細な画像確認を行うことが困難である。よって、主画像のデータを用いることによって、より詳細な画像確認を行うことができる。また、主画像は、表示部の全面に表示させてもよいが、表示部の一部領域の指定領域に表示させることによって、その背景に表示されているサムネイル画像によって前後に撮影された画像の様子を確認することもできるため、画像の選択が容易になる。
【００５７】
次に、主画像またはサムネイル画像の表示時に、全画像を均等な間隔（画像枚数）で分割し、分割された画像の所定位置から表示部に画像を表示させることによって、分割された画面表示単位（画像枚数単位）で表示画像を移動させることができるため、表示画像を移動させるためのユーザの操作をさらに少なくしてより素早く表示画像の移動行うことができる。
【００５８】
また、撮影時刻が画像と共に記録されたデータであれば、主画像またはサムネイル画像の表示時に、全画像を所定の時間間隔以内に撮影された複数の画像グループに分割し、分割した画像グループ単位で表示部に画像を表示させることによって、画像グループ単位で表示画像を移動させることができる。このため、表示画像を移動させるためのユーザの操作をさらに少なくしてより素早く表示画像の移動行うことができる。
【００５９】
【発明の実施の形態】
以下、本発明の画像表示装置の実施形態を電子情報機器に適用する場合ついて、図面を参照しながら説明する。なお、本発明の電子情報機器の一実施形態としてデジタルカメラについて説明を行うが、本発明はこれに限定されるものではない。
【００６０】
図１は、本発明のデジタルカメラの一実施形態における要部構成を示すブロック図である。なお、ここでは、説明を簡略化するために、本発明に直接関連する構成部材についてのみを示している。
【００６１】
図１において、このデジタルカメラ１０は、撮影処理部１と、時刻管理処理部２と、画像保管装置３と、表示部４と、モード切替え検索処理部５と、操作入力部としての制御ボタン装置６と、制御部７とを有している。
【００６２】
撮影処理部１は、画像を撮影処理すると共に、その撮影画像をデータ圧縮して、主画像やサムネイル画像を作成する。
【００６３】
時刻管理処理部２は、画像が撮影された時刻をその撮影画像データと共に画像保管装置３に格納する記録処理の他、画像格納位置情報を示す本発明のスクロールバーの表示処理などの各種処理を行う際に、時間的制約のあるものに対してその時間をカウントする処理部分である。
【００６４】
画像保管装置３は、このデジタルカメラ１０を制御するためのメインプログラムや画像再生制御プログラムの他、このデジタルカメラ１０において各種処理を行うために必要な全ての画像管理データが記憶されている記憶部である。また、この画像保管装置３では、撮影処理部１によって作成された主画像やサムネイル画像もデータとして記録されている。
【００６５】
表示部４は、撮影する画像を表示したり、撮影された画像を再生するための表示画面部を有するモニタある。
【００６６】
モード切り替え検索処理部５は、撮影され記録された画像を再生する再生モードにしたり、画像を撮影する撮影モードにしたりするときにモード切り替えを検知する。各モードに移行するときには、このモード切り替え検索処理部５による検知を経て、各モードへの切り替えが行われる。
【００６７】
制御ボタン装置６は、ユーザが行うボタン入力操作やキー入力操作などによって各種制御指令を入力する操作入力部であって、直接的にユーザが手に触れられるマン・マシン・インターフェイスである。
【００６８】
制御部７は、ＣＰＵ（中央演算処理装置）であるＣＰＵ処理部７１と、選択画像枠移動処理部７２と、主画像指定領域表示処理部７３と、操作検知処理部としてのボタン操作検知処理部７４と、操作時間計算処理部としてのボタン操作時間計算処理部７５と、位置情報表示処理部としてのスクロールバー表示処理部７６と、表示サムネイル画像決定処理部７７と、撮影時間間隔計算処理部７８と、設定処理部７９と、メインメモリ装置８０とを有している。
【００６９】
ＣＰＵ処理部７１は、画像の保管や再生など、全ての演算処理を行うための計算処理部である。このＣＰＵ処理部７１は、撮影処理部１、時刻管理処理部２、画像保管装置３、表示部４、モード切替え検索処理部５および制御ボタン装置６と接続され、かつ、選択画像枠移動処理部７２を介して主画像指定領域表示処理部７３に接続され、ボタン操作検知処理部７４を介してボタン操作時間計算処理部７５、スクロールバー表示処理部７６、表示サムネイル画像決定処理部７７および撮影時間間隔計算処理部７８に接続され、設定処理部７９およびメインメモリ装置８０と接続されており、画像保管装置３からメインプログラムや画像再生制御プログラムなどが読み出され、それらのプログラムに基づいて各部分を制御する。
【００７０】
また、ＣＰＵ処理部７１は、表示画像の主画像移動処理部（図示せず）およびサムネイル画像移動処理部（図示せず）と、表示部４の画像上に画像を表示する画像表示処理部（図示せず）を含んでいる。
【００７１】
選択画像枠移動処理部７２は、表示部４に表示されている複数のサムネイル画像のうち、現在選択されている画像の枠表示を移動させるための処理部である。この選択画像枠移動処理部７２で移動処理された枠に囲まれた画像は、例えば、画像の周囲（枠）が他の色で囲まれるなど、選択画像が目立つような工夫がなされて表示されるようになっている。
【００７２】
主画像指定領域表示処理部７３は、サムネイル画像に対応した主画像を、表示部４の指定された領域（例えば中央表示領域）に表示させるための処理部である。
【００７３】
ボタン操作検知処理部７４は、ユーザによって制御ボタン装置６のボタン操作（制御操作入力）が行われたときに、どのボタンが押されたかを検知し、これをＣＰＵ処理部７１に通知する処理部である。このボタン操作検知処理部７４によって、操作入力されたボタンが表示枠の移動に有効なキーであるか否かが判定される。
【００７４】
ボタン操作時間計測処理部７５は、ユーザによって制御ボタン装置６のボタン操作（制御操作入力）が行なわれた時間を計測する処理部である。このボタン操作時間計測処理部７５では、ボタンを押し続けたときの時間計測処理や、一定時間だけ制御ボタンを操作しなかったときの時間計測処理なども含まれる。
【００７５】
スクロールバー表示処理部７６は、サムネイル画像が表示されている表示部４の表示画面上に、特定のボタンを押し続けたときの時間計測結果が所定時間を越えたことを場合に、現在表示されている画像の全画像に対する時系列位置情報を示すスクロールバーを表示させ、現在の表示画像Ｎｏ．が全画像に対して時系列的にどの辺りの画像位置になるかを、例えばバーの全体に占める着色部や濃淡部の割合として目視的に表示させる処理部である。
【００７６】
表示サムネイル画像決定処理部７７は、表示画像の移動（表示枠の移動）を行なうときに、指定された画像Ｎｏ．のサムネイル画像だけを表示部４に表示出力させる処理部である。
【００７７】
撮影時間間隔計算処理部７８は、画像を再生するときに、画像が撮影時刻と共に保管されているデータにおいて、一定の時間間隔（ＩＮＴ＿ＴＩＭＥ）以内に撮影された画像を１グループとして表示部４に表示させることができるように、画像を検索する処理部である。
【００７８】
設定処理部７９は、ユーザが任意に変更可能な各種制御情報を設定するための処理部である。ユーザが制御ボタン装置６を押すことによって、ユーザによって指定される設定値が、この設定処理部７９を経て、メインメモリ装置８０に保管される。
【００７９】
メインメモリ装置８０は、このデジタルカメラ１０を制御する上で必要な制御情報が保管されるメモリ装置であり、ＣＰＵ処理部７１が制御プログラムに従って各種処理を行う際に、メインメモリ装置８０から制御情報が読み出されるようになっている。
【００８０】
このように構成された本発明の一実施形態のデジタルカメラ１０において、以下に、本発明の実施形態１〜４のよる各画像表示方法について順次説明する。
【００８１】
（実施形態１）
本実施形態１では、画像再生モードにおいては、一般に、主画像の再生とサムネイル画像の再生とがある。本実施形態１では、サムネイル画像の表示において、選択されるサムネイル画像を移動（表示枠の移動）させているときに、現在選択されているサムネイル画像に対応する主画像を、表示部４の表示画面上の指定領域（例えば中央領域）に表示させる場合の他、表示画像の時系列格納画像位置情報を示すスクロールバーを表示させる場合について説明する。
【００８２】
図２は、本実施形態１の画像表示方法について説明するための図である。
【００８３】
図２（ａ）に示すように、表示画面Ａ内に複数の矩形で示すサムネイル画像Ｂが表示されている状態で、ユーザが選択枠（表示枠）の移動キーを押すことによって、選択枠が移動キーの方向に順次移動し、所定の時間後に、図２（ｂ）に示すように、現在選択されているサムネイル画像Ｂ６に対応した主画像が、表示部４の表示画面Ａ上の指定領域に表示される。
【００８４】
このとき、選択されていない複数のサムネイル画像Ｂが背景に表示されたままで、その選択枠で囲まれたサムネイル画像Ｂ６（画像の撮影順番０６）の主画像だけが、サムネイル画像表示画面Ａの前面中央部に拡大表示される。図２（ｂ）では、Ｎｏ．０６のサムネイル画像Ｂ６が選択されて、Ｎｏ．０１〜Ｎｏ．０９のサムネイル画像Ｂの前面に拡大表示されている場合を示している。
【００８５】
再び、移動キーの押圧により画像枠が移動されると、図２（ｃ）に示すように、上下左右の何れかの方向（ここでは右方向）へのキー操作によって選択された次のサムネイル画像Ｂ７に対応した主画像が、表示部４の表示画面Ａ上の指定領域に拡大表示される。即ち、Ｎｏ．０７のサムネイル画像Ｂ７が選択されて、Ｎｏ．０１〜Ｎｏ．０９のうちのサムネイル画像Ｂ７が前面に拡大表示されている。
【００８６】
また、サムネイル画像Ｂ７の選択枠が一定時間ＰＩ＿ＯＦＦの期間に移動されない場合には、図２（ｄ）に示すように通常のサムネイル画像表示画面Ａの表示となる。
【００８７】
図３は、本実施形態１の画像表示方法において、選択したサムネイル画像の主画像を表示部４の指定領域に表示するタイミングを説明するための図である。
【００８８】
図３（ａ）に示すように、撮影順の時系列画像番号がＮｏ．９１〜Ｎｏ．９９のサムネイル画像Ｂが表示画面Ａ上に表示されている状態で、ユーザが選択枠の移動キー（例えば右キー）を押すことによって、図３（ｂ）に示すように、選択枠がＮｏ．９１から右隣りのＮｏ．９２に移動し、現在選択されているＮｏ．９２のサムネイル画像Ｂ９２に対する主画像が、サムネイル画像表示画面Ａの前面中央に表示される。
【００８９】
サムネイル画像Ｂ９２の選択枠が一定時間ＰＩ＿ＯＦＦの期間に再び移動されると、図３（ｃ）に示すように、例えば左キーが押されたときには選択枠がＮｏ．９２から左隣りのＮｏ．９１に移動し、Ｎｏ．９１のサムネイル画像Ｂ９１の主画像がサムネイル画像表示画面Ａの前面中央に拡大表示される。また、右キーが押されたときには選択枠がＮｏ．９２から右隣りのＮｏ．９３に移動し、Ｎｏ．９３のサムネイル画像Ｂ９３の主画像がサムネイル画像表示画面Ａの前面中央に拡大表示される。また、上キーが押されたときには選択枠がＮｏ．９２からその上のＮｏ．８９に移動され、Ｎｏ．８２〜Ｎｏ．９０のサムネイル画像Ｂが表示されると共に、Ｎｏ．８９のサムネイル画像Ｂ８９の主画像がそのサムネイル画像表示画面Ａの前面中央に拡大表示される。また、下キーが押されたときには選択枠がＮｏ．９２からその下のＮｏ．９５に移動し、Ｎｏ．９５のサムネイル画像Ｂ９５の主画像がサムネイル画像表示画面Ａの前面中央に拡大表示される。
【００９０】
移動キーの一定時間ＰＩ＿ＯＦＦの期間、キー入力が全く無かったり、選択枠の移動以外のキー入力が行われたりした場合には、サムネイル画像Ｂの選択枠が移動されないため、図３（ｄ）に示すように、通常のサムネイル画像表示画面Ａの場合と同様に表示される。
【００９１】
ところで、サムネイル画像Ｂの主画像を表示させる場合に、モニタ画面（表示画面Ａ）の全面いっぱいにその主画像を拡大表示させると、従来の主画像表示画面の場合と同様になり、現在選択されている画像の前後に撮影された画像の様子や状況（どのような画像が撮影されたかなど）が分からない。そこで、本実施形態１では、表示部４の表示画面Ａ上の全画面領域に表示せず、サムネイル画像表示画面の前面中央部の一定領域内にかぎってその主画像を表示させる。
【００９２】
また、表示画面Ａ上にサムネイル画像Ｂを拡大表示させると、元々のサムネイル画像Ｂは画像サイズが小さいデータであり、主画像に比べて画像データが少ないため、これを拡大表示させても詳細な画像確認を行うことができない。そこで、本実施形態１では、そのサムネイル画像Ｂに対応した主画像を表示部４の所定領域（例えば前面中央）内に表示できるように所定の比率で縮小させた画像を表示画面Ａの所定領域に表示させている。
【００９３】
以下に、本実施形態１の画像表示方法について、図１に示すブロック図と図４に示すフローチャートを用いて説明する。
【００９４】
図４は、図１のデジタルカメラ１０による画像表示方法の各処理手順を説明するためのフローチャートである。
【００９５】
図４に示すように、まず、制御ボタン装置６の操作により再生モードをスタートさせ、ステップＳ１では、ＣＰＵ処理部７１によって、画像保管装置３の記録媒体から一連の画像が読み込まれ、表示部４に画像が表示出力される。このステップＳ１では、従来技術と同様の手法で画像の再生が行われる。
【００９６】
この状態で、ユーザが制御ボタン装置６から所定の入力操作を行うことによって、選択画像を移動させることができる。このとき、ステップＳ２で、押されたボタンが画像の移動に有効なキーであるか否かが、ボタン操作検知処理部７４によって判断される。
【００９７】
押されたボタンが移動に有効なキー（移動キー）である場合（ステップＳ２でＹｅｓ）には、ボタン操作時間計測処理部７５によってボタンが押された時間が計測され、ステップＳ３で、一定時間ＳＣ＿ＯＮ以上の時間、そのボタンが押され続けたか否かが判定される。
【００９８】
また、画像の移動に無関係なボタンが押された場合（ステップＳ２でＮｏ）には、ステップＳ４において、その押されたボタンが有効かどうかがボタン操作検知処理部７４によって判断される。その押されたボタンが再生モード以外のモードへの切り替えを示す場合（ステップＳ９でＹｅｓ）には、モード切り替え検索処理部５によって各モードへの切り替えが為される。また、再生モード以外のモードへの切り替えを示すものではない場合（ステップＳ９でＮｏ）には、ステップＳ１の処理に戻り、引き続いて再生モードで従来手法による画像再生が行われる。
【００９９】
押されたボタンが移動に有効なキーであり（ステップＳ２でＹｅｓ）、かつ、ボタンが押された時間がＳＣ＿ＯＮ（所定時間）以上である場合（ステップＳ３でＹｅｓ）には、ステップＳ５で、スクロールバー表示処理部７６によって、表示部４の表示画面Ａ上に、現在表示されている画像の全画像に対する時系列位置情報（画像格納位置情報）を示すスクロールバーが表示される。このスクロールバーが表示された後の処理は、後述する実施形態２、３および４で詳細に説明するため、本実施形態１ではその説明を省略する。
【０１００】
また、移動キーのボタンが押された時間がＳＣ＿ＯＮ（所定時間）未満である場合（ステップＳ３でＮｏ）には、ステップＳ６で、選択画像枠移動処理部７２によって、表示部４の表示画面Ａ上に表示されている選択画像枠が移動され、これによって選択画像（枠で囲まれた画像）が移動される。
【０１０１】
次に、ステップＳ７では、再生モードがサムネイル表示モードであるか、または主画像表示モードであるかがＣＰＵ処理部７１によって判断される。
【０１０２】
サムネイル表示モードである場合（ステップＳ７でＹｅｓ）には、ステップＳ８で、現在選択されているサムネイル画像Ｂに対応した主画像が主画像指定領域表示処理部７３によって表示部４の指定領域（前面中央部）に表示される。
【０１０３】
さらに、ステップＳ９で、移動キーがＰＩ＿ＯＦＦの所定時間以内に、ボタン操作検知処理部７４によって、制御ボタン装置６からのキー入力（ボタン操作）があったか否かが判定される。
【０１０４】
移動キーがＰＩ＿ＯＦＦの所定時間以内に制御ボタン装置６からのキー入力があった場合（ステップＳ９でＹｅｓ）には、ステップＳ２の処理に戻って、ボタン操作検知処理部７４によって、それが移動に有効なキー（移動キー、即ち左キー、右キー、上キーおよび下キーの何れか）であるか否かが判定される。また、移動キーがＰＩ＿ＯＦＦの所定時間以内に制御ボタン装置６からのキー入力がない（ステップＳ３でＮｏ）か、または、サムネイル表示モードでない場合（ステップＳ７でＮｏ）には、ステップＳ１の処理に戻り、再生モードで従来手法による画像再生が行われる。
【０１０５】
以上のように、本実施形態１によれば、サムネイル画像選択時に主画像を一定の領域に表示させるようにしたため、複数のサムネイル画像と、現在選択されているサムネイル画像の主画像の詳細とを同時に確認することができる。また、格納された画像を読み出して表示部４に表示させる際に、一定時間、制御ボタン装置６を押し続けることによって、表示部４にスクロールバーを表示することができる。このスクロールバーには、現在表示されている画像の全画像に対する時系列位置情報が示されており、現在表示されている画像の撮影時刻がいつ頃であるかを知ることができる。これによって、撮影時に記録された画像の撮影時刻を基準として、ユーザが希望する画像の検索をより高速に行うことができる。
【０１０６】
（実施形態２）
上記実施形態１では、図１に示すデジタルカメラ１０において、表示部４に主画像またはサムネイル画像が表示されている状態で、一定時間、ユーザによって特定の制御ボタン（移動キー）が操作され続けることによって、現在表示されている表示画像の、全画像に対する時系列位置情報が示されたスクロールバーを表示部４に表示させたが、本実施形態２は、そのスクロールバー表示後の表示画像の移動処理例について説明する。
【０１０７】
図５は、本実施形態２の画像表示方法において、サムネイル画像の再生時に表示部４にスクロールバーを表示させるタイミングを説明するための図である。
【０１０８】
図５において、通常のサムネイル画像表示画面Ａに、例えば縦３×横３のサムネイル画像Ｂが表示されている場合には、移動キー、例えば右キーを押すことによって、
Ｎｏ．１〜Ｎｏ．９のサムネイル画像表示画面ではＮｏ．１  →  Ｎｏ．２  →  Ｎｏ．３  →・・・→  Ｎｏ．９、また、Ｎｏ．１０〜Ｎｏ．１８のサムネイル画像表示画面ではＮｏ．１０  →  Ｎｏ．１１  →  Ｎｏ．１２  →・・・→  Ｎｏ．１８、さらに、Ｎｏ．１９〜Ｎｏ．２７のサムネイル画像表示画面ではＮｏ．１９  →  Ｎｏ．２０  →  Ｎｏ．２１  →・・・→  Ｎｏ．２７、・・・、Ｎｏ．１００〜Ｎｏ．１０８のサムネイル画像表示画面ＡではＮｏ．１００  →  Ｎｏ．１０１  →  Ｎｏ．１０２  →・・・→  Ｎｏ．１０８、・・・というように、１枚づつ選択画像の枠位置が移動される。
【０１０９】
図５（ａ）に示すように、Ｎｏ．１００〜Ｎｏ．１０８の各サムネイル画像Ｂが表示されている状態で、ユーザが選択枠の移動キー（上キー、下キー、左キーまたは右キー）を押すことによって、現在、選択されている画像Ｎｏ．１０８がＮｏ．１０５、Ｎｏ．１１１（次の９画像）、Ｎｏ．１０７、Ｎｏ．１０９（次の９画像）に移動する。
【０１１０】
ところが、近年、記憶媒体の容量が増大し、撮影保管枚数も増加してきているため、従来の手法では、ユーザが希望する画像を検索する際に、目的とする画像が表示されるまで、ユーザがキー操作を繰り返し行う必要があった。例えば、画像枚数が１００枚や２００枚を超える場合には、これらの操作入力作業に必要な時間的負担が大きくなっていた。
【０１１１】
そこで、本実施形態２では、上記実施形態１で説明したように、ＳＣ＿ＯＮ以上の時間、移動に有効なキーが押されることによって、表示部４にスクロールバーを追加表示させ、このスクロールバーが表示されている間に、高速に移動可能な方法によって表示画像を移動させることができるようにしている。
【０１１２】
図５（ｂ）では、移動キー、例えば左右のキーいずれかをユーザが所定時間以上押し続けることによって、選択画像の字形列位置情報を示すスクロールバーが表示されている。ユーザが左右キーを一旦離して、所定の期間ＳＣ＿ＯＦＦ以内に、例えば左のキー入力を行った場合には、図５（ｃ）に示すように、前の９画像（Ｎｏ．９１〜Ｎｏ．９９）のサムネイル画像Ｂが表示部４に表示される。また、右のキー入力を行った場合には、次の９画像（Ｎｏ．１０９〜Ｎｏ．１１７）のサムネイル画像Ｂが表示部４に表示される。
【０１１３】
このように、キー入力毎に９画像が移動されることによって、１画像ずつ移動させる場合に比べて、ユーザのキー操作を格段に少なくすることができ、検索処理の高速化を図ることができる。
【０１１４】
また、スクロールバーは、現在選択されている画像が、全体の画像に対してどれくらいの割合（何枚目位の画像）であるかを推測することができるように、時系列位置情報が含まれているため、ユーザが画像検索を行う際に、非常に便利な機能である。
【０１１５】
このスクロールバーは、表示されてから所定時間ＳＣ＿ＯＦＦの期間、表示され続ける。スクロールバーが表示部４から消される条件として、
（１）ＳＣ＿ＯＦＦの期間、左右のキー入力がない（ＳＣ＿ＯＦＦの期間経過の後、スクロールバーが消される）か、または、
（２）ＳＣ＿ＯＦＦの期間に、画像枠の移動とは無関係のキー入力があった場合には、スクロールバーは表示部４の表示画面上から直ちに消される。上記二つの条件のいずれかに当てはまる場合には、一旦、スクロールバーは消され、従来のサムネイル画像表示画面Ａと同様に、サムネイル画像Ｂの１枚単位の移動が可能となる。
【０１１６】
このスクロールバーは、サムネイル画像Ｂの再生時でも、主画像の再生時でも、表示させることが可能である。主画像の再生時に表示部４にスクロールバーを表示させる場合について図６を用いて説明する。
【０１１７】
図６は、本実施形態２の画像表示方法において、主画像の再生時に表示部４にスクロールバーを表示させるタイミングを説明するための図である。
【０１１８】
図６（ａ）に示すように、Ｎｏ．１０４の主画像が表示されている状態で、ユーザが移動に有効な移動キーとして左キーまたは右キーを押し続けることによって、図６（ｂ）に示すように、スクロールバーが表示される。ユーザが左キーまたは右キーを一旦離して、所定の期間ＳＣ＿ＯＦＦ以内に、例えば左キー入力を行った場合に、図６（ｃ）に示すように、左隣りのＮｏ．１０３の主画像が表示部４に表示される。また、右のキー入力を行った場合には、右隣りのＮｏ．１０５の主画像が表示部４に表示される。このように、主画像の場合には、キー入力毎に１画像が移動される。
【０１１９】
このように、主画像を再生させる場合、スクロールバーは、表示されてから所定の時間ＳＣ＿ＯＦＦの期間、表示され続ける。スクロールバーが表示部４から消される条件として、
（１）ＳＣ＿ＯＦＦの期間、左右の移動キー入力がない（ＳＣ＿ＯＦＦの期間経過後、スクロールバーが消される）か、または、
（２）ＳＣ＿ＯＦＦの期間に、画像枠の移動とは無関係のキー入力があった場合には、スクロールバーは表示部４の表示画面上から直ちに消される。
【０１２０】
以下に、本実施形態２の画像表示方法について、図１に示すブロック図と図７に示すフローチャートを用いて説明する。なお、スクロールバーの表示のさせ方については、上記実施形態１で図４のフローチャートを用いて説明した通りである。よって、本実施形態２では、この後のボタン操作によってどのように画像が再生されるかということについて説明する。
【０１２１】
図７は、本発明の実施形態２における画像表示方法の各処理手順について説明するためのフローチャートである。
【０１２２】
図７に示すように、前述した図４のステップＳ５でスクロールバーが表示部４に表示された状態において、まず、ステップＳ１０の処理では、ボタン操作検知処理部７４によって、スクロールバーを表示させるためにＳＣ＿ＯＮの時間押され続けたボタン（移動キー）が、一旦離されたか否かが判断される。
【０１２３】
次に、ボタン（移動キー）が一旦離されている場合（ステップＳ１０でＹｅｓ）には、ボタンが離された時点から、時刻管理処理部２によって時間がカウントされ、ステップＳ１１において、ＳＣ＿ＯＦＦの所定時間以内にキー入力が行われたか否かが、ボタン操作検知処理部７４によって判断される（またはボタン操作時間計測処理部７５がオフの時間計測処理をし、ボタン操作検知処理部７４によってオフの時間が所定時間以内かどうかを判断してもよい）。
【０１２４】
さらに、ステップＳ１２において、ボタン操作検知処理部７４によって、この押されたボタンが、移動に有効なキー入力であるか否かが判断される。
【０１２５】
その判断結果として、移動に有効なキー入力である場合（ステップＳ１２でＹｅｓ）には、ステップＳ１３で、ＣＰＵ処理部Ｂ１によってサムネイル画像の再生モード（サムネイル表示モード）であるか、または主画像の再生モードであるかが判断される。
【０１２６】
また、ＳＣ＿ＯＦＦの時間以内に、キー入力がなかった場合（ステップＳ１１でＮｏ）や、移動に有効なキー入力ではなかった場合（ステップＳ１２でＮｏ）には、ステップＳ１７において表示部４からスクロールバーが消され、前述した図４のステップＳ１に処理が進んで、従来手法の再生モードによる画像再生が行われる。
【０１２７】
主画像の再生モードの場合（ステップＳ１３でＮｏ）には、ステップＳ１５で、選択主画像の移動が行われる。この場合には、１回の移動ボタン操作によって、主画像が１枚（１画面）ずつ移動されて表示される。
【０１２８】
また、サムネイル画像の再生モードである場合（ステップＳ１３でＹｅｓ）には、ステップＳ１６で、サムネイル画像の表示枚数単位（１画面例えば９枚）で表示画像の移動が行われる。この場合には、表示部４に例えば９枚のサムネイル画像が表示されていると、１回の移動ボタン操作によって、９枚の画像単位で１表示画像を移動させることが可能となる。さらに、ステップＳ１７で、画像の選択枠は、表示部４に表示されている複数のサムネイル画像の先頭画像に移動される。
【０１２９】
以上のように、本実施形態２によれば、少ない制御操作入力によって、サムネイル画像の表示時には、サムネイル画像の表示枚数単位で表示画像を検索用に移動させることができる。このため、ユーザが希望する画像を検索する際に、入力操作の負担を少なくして高速に検索処理を行うことができる。また、記録画像全体に対する現在の選択画像の時系列位置情報をスクロールバーに示すことによって、ユーザは、画像の撮影時刻による検索処理を容易に行うことができる。
【０１３０】
（実施形態３）
本実施形態３では、図１に示すデジタルカメラ１０において、表示部４に主画像またはサムネイル画像が表示されている状態で、一定時間、ユーザによって特定の制御ボタンが操作されることによって、全画像を均等な間隔（所定画像数）で分割し、分割された画像グループ毎の所定位置（先頭画像）を表示画像として表示させ、また、この先頭画像から表示部４に画像を順次表示可能とする事例について説明する。
【０１３１】
図８は、本実施形態３の画像表示方法について説明するための図である。
【０１３２】
画像の保管枚数が１００枚や２００枚ではなく、１０００枚や１００００枚と多くなった場合に、上記実施形態２に示すように、スクロールバーを表示部４に表示させても、表示画面を１画面ずつ移動させるためには、多大な時間が必要となる。
【０１３３】
そこで、本実施形態３では、サムネイル画像を再生するときに、画像保管装置３の記録媒体に現在保管されている画像枚数にしたがって、一定の値で分割された先頭のサムネイル画像を表示部４に表示出力させる。この値は、ユーザがボタン制御装置６を入力操作することによって設定処理部７９で設定され、メインメモリ装置８０内に保管している。
【０１３４】
例えば、図８（ａ）に示すように、１００００枚の画像が保管され、現在Ｎｏ．９９９９のサムネイル画像が表示部４に表示されているものとする。上記実施形態２で説明した画像表示方法では、９枚づつ画像が移動されて表示されているため、Ｎｏ．０１のサムネイル画像の表示画面まで移動させるためには、ユーザが１００００／９≒１１１１回のキー操作を行う必要がある。
【０１３５】
これに対して、高速でサムネイル画像を表示させるときには、例えば左右の特定キー（移動キー）を一定期間（ＳＫ＿ＯＮ）押し続けることによって、１００００枚の画像を設定モードで指定された例えば１０分割し、分割された画像単位でサムネイル画像を移動させて表示を行う。
【０１３６】
図８（ｂ）では、Ｎｏ．９９９１〜Ｎｏ．９９９９のサムネイル画像表示  →  左キーをＳＫ＿ＯＮの時間押し続ける    →    Ｎｏ．９００１〜Ｎｏ．９００９のサムネイル画像表示  →  左キーを１回を押す    →    Ｎｏ．８００１〜Ｎｏ．８００９のサムネイル画像表示  →  左ボタンを１回押す    →    Ｎｏ．７００１〜Ｎｏ．７００９のサムネイル画像表示  →  左ボタンを１回押す    →    ・・・    →    Ｎｏ．３００１〜Ｎｏ．３００９のサムネイル画像表示  →  左ボタンを１回押す    →    Ｎｏ．２００１〜Ｎｏ．２００９のサムネイル画像表示  →  左ボタンを１回押す    →    Ｎｏ．１００１〜Ｎｏ．１００９のサムネイル画像表示  →  左ボタンを１回押す    →    Ｎｏ．０００１〜Ｎｏ．０００９のサムネイル画像表示というように、１００００／１０＝１０００枚単位で表示画像を移動させることによって、ユーザが１０回のキー操作を行うだけで、Ｎｏ．０１のサムネイル画像を表示させることができる。
【０１３７】
これによって、画像保管装置３の記録媒体に保管されている画像の枚数が膨大な数になっても、一定の画像枚数の間隔で、画像が撮影された順番に、画像を確認することができるため、ユーザが希望する画像を効率良く検索することができる。
【０１３８】
主画像を表示させる場合についても、表示画像の移動のさせ方は同様であり、サムネイル画像の代わりに分割された先頭の位置の主画像１枚が表示部４に表示される。
【０１３９】
本実施形態３では、上記実施形態１で説明したように、ＳＣ＿ＯＮ（ＳＫ＿ＯＮ）以上の所定時間、移動に有効なキー（移動キー）が押されることによって、表示部４にスクロールバーを追加表示させ、このスクロールバーが表示されている間に、高速に移動可能な方法によって表示画像を移動させる。スクロールバーは、現在選択されている画像が、全体の画像に対してどれくらいの割合（何枚目位の画像）の位置にあるかを推測することができるように、時系列位置情報が含まれているため、ユーザが画像検索を行う際に、非常に便利な機能である。
【０１４０】
このスクロールバーは、表示されてから時間ＳＫ＿ＯＦＦの期間、表示され続ける。スクロールバーが表示部４から消される条件として、
（１）ＳＫ＿ＯＦＦの期間、左キーまたは右キーの移動キー入力がない（ＳＫ＿ＯＦＦの期間の後、スクロールバーが消される）か、または、
（２）ＳＫ＿ＯＦＦの期間に、画像枠の移動とは無関係のキー入力があった場合には、スクロールバーは表示部４の表示画面上から直ちに消される。上記二つの条件の何れかに当てはまる場合には、一旦、スクロールバーは消され、従来のサムネイル画像表示画面Ａと同様に、サムネイル画像１枚単位の移動が可能となる。
【０１４１】
このスクロールバーは、サムネイル画像の再生時でも、主画像の再生時でも、表示させることが可能である。
【０１４２】
以下に、本実施形態３の画像表示方法について、図１に示すブロック図と図９に示すフローチャートを用いて説明する。なお、スクロールバーの表示のさせ方については、上記実施形態１で図４のフローチャートを用いて説明した通りである。よって、本実施形態３では、この後のボタン操作によってどのように画像が再生されるかということについて説明を行う。
【０１４３】
図９は、本発明の実施形態３における画像表示方法の各処理手順について説明するためのフローチャートである。
【０１４４】
図９に示すように、図４のステップＳ５でスクロールバーが表示部４に表示された状態において、ステップＳ２０で、ボタン操作検知処理部７４によって、スクロールバーを表示させるためにＳＣ＿ＯＮの時間だけ押され続けたボタンが、一旦離されたか否かが判断される。ボタンが一旦離されている場合（ステップＳ２０でＹｅｓ）には、ボタンが離された時点から、時刻管理処理部２によって時間がカウントされ、ステップＳ２１において、ＳＫ＿ＯＦＦの時間以内にキー入力が行われたか否かが、ボタン操作検知処理部７４によって判断される（またはボタン操作時間計測処理部７５がオフの時間計測処理をし、ボタン操作検知処理部７４によってオフの時間が所定時間以内かどうかを判断してもよい）。また、ステップＳ２２において、ボタン操作検知処理部７４によって、この押されたボタンが、移動に有効なキー入力であるか否かが判断される。
【０１４５】
移動に有効なキー入力である場合（ステップＳ２２でＹｅｓ）には、ステップＳ２３において、ＣＰＵ処理部７１によってサムネイル画像の再生モード（サムネイル表示モード）であるか、または主画像の再生モードであるかが判断される。
【０１４６】
また、ＳＫ＿ＯＦＦの所定時間以内にキー入力がなかった場合（ステップＳ２１でＮｏ）や、移動に有効なキー入力ではなかった場合（ステップＳ２２でＮｏ）には、ステップＳ２４で表示部４からスクロールバーが消され、図４に示すステップＳ１の処理に戻って、従来手法の再生モードによる画像再生が行われる。
【０１４７】
主画像の再生モードである場合（ステップＳ２３でＮｏ）には、ステップＳ２５で、選択された主画像の移動が行われる。この場合、例えば図８に示すように、画像保管装置３の記録媒体に１００００枚の画像が保管されている場合には、これが設定処理部７９で設定されてメインメモリ装置８０に保管されている一定の値（例えば１０とする）で割った値として、１００００／１０＝１０００枚毎に１０分割され、この１０００枚単位で画像の移動が行われる。これによって、１００００枚の画像が保管されていれば、１回の移動ボタン操作で、１０００枚の主画像が移動されて、先頭の１枚だけが表示部４に表示される。
【０１４８】
サムネイル画像の再生モードである場合（ステップＳ２３でＹｅｓ）には、ステップＳ２６で、画像が一定の枚数に分割され、分割された先頭位置まで表示画像の移動が行われる。この場合、例えば図８に示すように、画像保管装置３の記録媒体に１００００枚の画像が保管されている場合には、上記と同様に、設定処理部７９で設定されてメインメモリ装置８０に保管されている一定の値（例えば１０とする）で割った値として、１００００／１０＝１０００枚毎に１０分割され、この１０００枚単位で画像の移動が行われる。これによって、１００００枚の画像が保管されていれば、移動キーの１回の移動ボタン操作で、１０００枚の画像を移動させることができる。分割された先頭の画像から、サムネイル画像の表示枚数だけ、例えば９枚のサムネイル画像が表示部４に表示される。さらに、ステップＳ２７で、画像の選択枠は、表示部４に表示されている９枚のサムネイル画像のうちの先頭画像に移動されている。
【０１４９】
以上のように、本実施形態３によれば、圧倒的に少ない制御操作入力によって、表示されるサムネイル画像を高速に移動させることができるため、ユーザが希望する画像を検索する際に、入力操作の負担を大幅に少なくして高速に検索処理を行うことができる。また、記録画像全体に対する現在の選択画像の時系列位置情報をスクロールバーにより示すことで、ユーザは、画像の撮影時刻によって検索処理を容易かつ迅速に行うことができる。
【０１５０】
（実施形態４）
本実施形態４では、図１に示すデジタルカメラ１０において、表示部４に主画像またはサムネイル画像が表示されている状態で、一定時間、ユーザによって特定の制御ボタン（例えば移動キー）が操作されることによって、全画像を所定の時間間隔内に撮影された複数の画像グループ毎に分割し、画像グループ単位で表示部４に画像を表示させる事例について説明する。なお、撮影されて保存されている画像データをグループ分けするための情報を追加保存するのではなく、サムネイル画像を表示部４（モニタ）に表示させるときに、画像が撮影された時刻を基準としてモニタに表示させるだけであるので、撮影時刻が保管されている画像データがあれば、どのような画像であっても対応可能である。また、この時間間隔は、ユーザが制御ボタン装置６から設定処理部７９などによって設定できる。
【０１５１】
図１０は、本実施形態４の画像表示方法について説明するための図である。
【０１５２】
画像データをグループ分けする基準となる時間間隔（ＩＮＴ＿ＴＩＭＥ）は、ユーザが設定処理部７９によって任意に設定することができる。即ち、この時間間隔は、ユーザによって制御ボタン装置６から設定処理部７９などによって設定することができる。一般に、画像が撮影された時刻は、その画像（画像データ）と共に保管されているため、この撮影時刻を利用して、ある程度まとまった時間（ＩＮＴ＿ＴＩＭＥ以内）に撮影された画像を一つのグループとして取り扱い、そのグループ単位で画像をまとめて表示部４に表示させる。
【０１５３】
例えば、図１０に示すように、２４枚の画像が保管されていた場合に、撮影時刻はばらばらであるが、これを時系列で考えて、一定の時間間隔（ＩＮＴ＿ＴＩＭＥ）以内に撮影された画像を１グループとしてまとめる。この図１０の例では、Ｎｏ．０１〜Ｎｏ．０９のサムネイル画像、Ｎｏ．１０〜Ｎｏ．１６のサムネイル画像、およびＮｏ．１７〜Ｎｏ．２４のサムネイル画像が、それぞれ１グループとしてまとめられて、表示部４に表示される。
【０１５４】
主画像を表示させる場合についても、表示画像の移動のさせ方は同様であり、サムネイル画像の代わりにグループ分けされた先頭の位置の主画像１枚が表示部４に表示される。例えば、図１０では、Ｎｏ．０１、Ｎｏ．１０およびＮｏ．１７の主画像が表示部４に表示される。
【０１５５】
本実施形態４では、上記実施形態１で説明したように、ＳＣ＿ＯＮ（ＧＲ＿ＯＮ）以上の時間、移動に有効なキーが押されることによって、表示部４にスクロールバーを追加表示させ、このスクロールバーが表示されている間に、クループ毎に高速に移動可能な方法によって表示画像を移動させる。スクロールバーは、現在選択されている画像が、全体の画像に対してどれくらいの割合（何枚目位の画像）の位置にあるかを推測することができるような時系列位置情報が含まれている。このため、ユーザが画像検索を行う際には、非常に便利な機能である。
【０１５６】
このスクロールバーは、表示されてから時間ＧＲ＿ＯＮの期間、表示され続ける。スクロールバーが表示部４から消される条件として、
（１）ＧＲ＿ＯＦＦの期間、左キーまたは右キーのキー入力がない（ＧＲ＿ＯＦＦの期間の後、スクロールバーが消される）か、または、
（２）ＧＲ＿ＯＦＦの期間に、画像枠の移動とは無関係のキー入力があった場合には、スクロールバーは表示部４の表示画面上から直ちに消される。上記二つの条件の何れかに当てはまる場合には、一旦、スクロールバーは消され、従来のサムネイル画像表示画面の場合と同様に、サムネイル画像１枚単位の移動が可能となる。
【０１５７】
このスクロールバーは、サムネイル画像の再生時でも、主画像の再生時でも、表示させることが可能となる。
【０１５８】
以下に、本実施形態４の画像表示方法について、図１に示すブロック図と図１１に示すフローチャートを用いて説明する。なお、スクロールバーの表示のさせ方については、上記実施形態１で図４のフローチャートを用いて説明した通りである。よって、本実施形態４では、この後のボタン操作によってどのように画像が再生されるかについて説明する。
【０１５９】
図１１は、本実施形態４の画像表示方法の各処理手順について説明するためのフローチャートである。
【０１６０】
図１１に示すように、図４に示すステップＳ５でスクロールバーが表示部４に表示された状態で、ステップＳ３０でボタン操作検知処理部７４によって、スクロールバーを表示させるためにＳＣ＿ＯＮの時間押され続けたボタン（移動キー）が、一旦離されたか否かが判断される。ボタンが一旦離されている場合（ステップＳ３０でＹｅｓ）には、ボタンが離された時点から、時刻管理処理部２によって時間がカウントされ、ステップＳ３１において、ＧＲ＿ＯＦＦの時間以内にキー入力が行われたか否かが、ボタン操作検知処理部７４によって判断される（またはボタン操作時間計測処理部７５がオフの時間計測処理をし、ボタン操作検知処理部７４によってオフの時間が所定時間以内かどうかを判断してもよい）。さらに、ステップＳ３２で、ボタン操作検知処理部７４によって、この押されたボタンが、移動に有効なキー入力であるか否かが判断される。
【０１６１】
移動に有効なキー入力である場合（ステップＳ３２でＹｅｓ）には、ステップＳ３３において、ＣＰＵ処理部７１によってサムネイル画像の再生モード（サムネイル表示モード）であるか、または主画像の再生モードであるかが判断される。
【０１６２】
また、ＧＲ＿ＯＦＦの所定時間以内にキー入力がなかった場合（ステップＳ３１でＮｏ）や、移動に有効なキー入力ではなかった場合（ステップＳ３２でＮｏ）には、ステップＳ３４で表示部４からスクロールバーが消され、図４に示すステップＳ１の処理に戻って、従来手法の再生モードによる画像再生が行われる。
【０１６３】
主画像の再生モードである場合（ステップＳ３３でＮｏ）には、ステップＳ３５で、選択された主画像の移動が行われる。この場合、図１０に示すように、撮影時間間隔計算処理部７８によって、撮影された画像が時間的にグループ分けされ、先頭の１枚だけが表示部４に表示される。
【０１６４】
サムネイル画像の再生モードである場合（ステップＳ３３でＹｅｓ）には、ステップＳ３６で、撮影時間で分けられたグループ単位で表示画像の移動が行われる。この場合、撮影時間間隔計算処理部７８によって、撮影された時間によって画像がグループ分けされる。表示サムネイル画像決定処理部７７によって、グループ分けされた画像において、何枚目から何枚目までの画像を再生させるかが計算され、表示部４にそれらの画像が表示出力される。これによって、保管画像が時間的にグループ分けされ、所定の時間間隔以内（ＩＮＴ＿ＴＩＭＥ時間間隔以内）に撮影された画像が１グループとしてまとめられて表示部４に表示される。さらに、ステップＳ３７で、画像の選択枠は、表示部４に表示されている先頭画像に移動される。
【０１６５】
以上のように、本実施形態４によれば、より少ない制御操作入力によって、表示されるサムネイル画像を高速に移動させることができるため、ユーザが希望する画像を検索する際に、入力操作の負担を格段に少なくして高速に検索処理を行うことができる。また、現在選択されている画像の全ての画像に対する時系列位置情報をスクロールバーに示すことによって、ユーザは、スクロールバーを確認しながら画像の撮影時刻によって検索処理を容易に行うことができる。さらに、再生時に毎回、撮影時間間隔計算処理部７８によって画像が撮影された時間の計算を行い、近時刻に撮影された画像がまとめられて再生されるので、撮影時に画像の付加情報を入力するための操作を省略することができ、より効率的に検索処理を行うことができる。
【０１６６】
なお、上記実施形態１〜４では、本発明の画像表示装置およびこれを用いたデジタルカメラ１０などの電子情報機器において、サムネイル画像選択時に主画像を一定の領域に拡大表示させる機能（実施形態１）、現在表示されている画像の全画像に対する時系列格納位置情報を示すスクロールバーを表示させる機能（実施形態１）、スクロールバー表示後の複数のサムネイル画像を１表示単位毎（１画面毎）に移動処理する機能（実施形態２）、全画像を均等な間隔（所定画像数）で分割して移動処理する機能（実施形態３）、および撮影時刻単位で画像をグループ分けして移動処理する機能（実施形態４）はそれぞれ搭載してもよいが、これらの各機能から選択される複数の機能を搭載して、それぞれ独立的に設定・解除を制御できるようにしてもよい。
【０１６７】
【発明の効果】
以上により、本発明によれば、複数の画像が記録されている記録媒体からデータを読み出して表示部に画像を表示させる際に、サムネイル画像選択時に主画像を一定の領域に表示させたり、現在表示されている画像の全画像に対する時系列位置情報を示すスクロールバーを表示させたり、スクロールバー表示後のサムネイル画像を１表示単位毎（１画面毎）に移動処理できたり、全画像を均等な間隔で分割して移動処理できたり、撮影時刻単位で画像をグループ分けして移動処理できたりして、ユーザの操作負担を極力減らすことができるため、検索時間の大部分を占めるユーザの操作時間を削減することができる。したがって、ユーザが希望する画像を検索するために必要な時間を大幅に削減できて、効率良く、素早く画像の検索を行うことができる。
【０１６８】
また、サムネイル画像を再生する際に、主画像によって画像確認を行うことができるため、より正確かつ効率的にユーザが希望する画像を検索することができる。
【図面の簡単な説明】
【図１】本発明のデジタルカメラの一実施形態における要部構成を示すブロック図である。
【図２】本発明の実施形態１の画像表示方法について説明するための図である。
【図３】本発明の実施形態１の画像表示方法において、選択したサムネイル画像の主画像を表示部の指定領域に表示するタイミングを説明するための図である。
【図４】本発明の実施形態１の画像表示方法の各処理手順を説明するためのフローチャートである。
【図５】本発明の実施形態２の画像表示方法において、サムネイル画像の再生時に表示部にスクロールバーを表示させるタイミングを説明するための図である。
【図６】本発明の実施形態２の画像表示方法において、主画像の再生時に表示部にスクロールバーを表示させるタイミングを説明するための図である。
【図７】本発明の実施形態２における画像表示方法の各処理手順について説明するためのフローチャートである。
【図８】本発明の実施形態３の画像表示方法について説明するための図である。
【図９】本発明の実施形態３における画像表示方法の各処理手順について説明するためのフローチャートである。
【図１０】本発明の実施形態４の画像表示方法について説明するための図である。
【図１１】本発明の実施形態４における画像表示方法の各処理手順について説明するためのフローチャートである。
【符号の説明】
１  撮影処理部
２  時刻管理処理部
３  画像保管装置
４  表示部
５  モード切替え検索処理部
６  制御ボタン装置
７  制御部
７１  ＣＰＵ処理部
７２  選択画像枠移動処理部
７３  主画像指定領域表示処理部
７４  ボタン操作検知処理部
７５  ボタン操作時間計算処理部
７６  スクロールバー表示処理部
７７  表示サムネイル画像決定処理部
７８  撮影時間間隔計算処理部
７９  設定処理部
８０  メインメモリ装置
１０  デジタルカメラ
【図１】
2005020209.tif 000003
【図２】
2005020209.tif 000004
【図３】
2005020209.tif 000005
【図４】
2005020209.tif 000006
【図５】
2005020209.tif 000007
【図６】
2005020209.tif 000008
【図７】
2005020209.tif 000009
【図８】
2005020209.tif 000010
【図９】
2005020209.tif 000011
【図１０】
2005020209.tif 000012
【図１１】
2005020209.tif 000013